(57)【要約】【課題】１回の噴射量が少なく、生理活性物質を含んだ内容物を効果的に歯間部へ付着・滞留させることができる内容物噴射装置を提供する。【解決手段】軸直方向に延び内容物を収容する本体容器１０と、内容物を噴射する噴射部４３を有し本体容器に取り付けられた噴射容器３０とを備える。噴射容器は、本体容器の一端側に連結された連結部３１と、先端側に噴射部が配置され連結部から軸直方向に立設された挿入部４１とを有する。内容物は、噴射部から噴射された際の２５℃における粘度が３〜２５Ｐａ・ｓである液体口腔用組成物である。噴射部から噴射される内容物の噴射流量は、０．０５〜４．０ｇ／ｓ／ｍｍ２である。噴射部から一回に噴射される内容物の総量は、０．０１〜２０ｇである。【選択図】図２
2018187048.tif 000002
【特許請求の範囲】
【請求項１】
軸直方向に延び内容物を収容する本体容器と、
前記内容物を噴射する噴射部を有し前記本体容器に取り付けられた噴射容器とを備え、
前記噴射容器は、前記本体容器の一端側に連結された連結部と、
先端側に前記噴射部が配置され前記連結部から前記軸直方向に立設された挿入部とを有し、
前記内容物は、前記噴射部から噴射された際の２５℃における粘度が３〜２５Ｐａ・ｓである液体口腔用組成物であり、
前記噴射部から噴射される前記内容物の噴射流量は、０．０５〜４．０ｇ／ｓ／ｍｍ２であり、
前記噴射部から一回に噴射される前記内容物の総量は、０．０１〜２０ｇであることを特徴とする内容物噴射装置。
【請求項２】
前記内容物が噴射される前記噴射部の内口径の直径は、０．３〜０．５ｍｍであることを特徴とする請求項１記載の内容物噴射装置。
【請求項３】
前記挿入部は、第１軸線に沿って延び、
前記噴射部は、第２軸線に沿って前記内容物を噴射し、
前記第１軸線と前記第２軸線とは、交差角度が９０°から１０５°で同一平面において交差していることを特徴とする請求項１または２記載の内容物噴射装置。
【請求項４】
前記噴射部は、第２軸線に沿って前記内容物を噴射するとともに、前記第２軸線を中心とする１°〜１０°の噴射角で前記内容物を噴射することを特徴とする請求項１から３のいずれか一項に記載の内容物噴射装置。
【請求項５】
前記挿入部は、前記軸直方向と直交する軸線周りに揺動可能な揺動部の上面に連結され、
前記連結部に上下動自在に取り付けられ下方へ移動させる操作時に前記揺動部を前記軸線周り方向の一方側に揺動させて前記内容物を前記噴射部から噴射させ、前記下方へ移動させる操作が解除された非操作時に前記揺動部を前記軸線周り方向の他方側に揺動させて前記噴射部からの前記内容物の噴射を停止させる操作部を有し、
前記操作部による操作時に前記挿入部は、前記軸直方向と平行であり、前記操作部による非操作時に前記挿入部は、前記軸直方向に対して前記内容物の噴射側に１°〜１０°の角度で傾斜することを特徴とする請求項１から４のいずれか一項に記載の内容物噴射装置。
【請求項６】
前記内容物は、液体口腔用組成物の生理活性物質を含むことを特徴とする請求項１から５のいずれか一項に記載の内容物噴射装置。
【発明の詳細な説明】
【技術分野】
【０００１】
本発明は、内容物噴射装置に関するものである。
【背景技術】
【０００２】
従来、歯間部にバイオフィルムが蓄積して歯垢が形成されることで、う蝕や歯肉炎が発症するため、歯間部の歯垢除去方法として、歯間ブラシによるブラッシングや、モーター駆動による水の液滴を高速で歯間部へ噴射する歯間洗浄器（特許文献１）の手段がある。
【０００３】
しかし、歯間ブラシでは、歯間へ挿入するのにテクニックを要したり、歯肉が弱っている場合には歯肉を傷つけてしまうなどの問題があった。また、上記の歯間洗浄器では、高速の液滴の噴射をするため、歯間部への歯垢除去だけでなく、弱った歯肉へ偽害性を与える虞があった。さらに、１回の噴射量が多いことで、歯間噴射時の液ハネにより口腔内へ不快感を与えたり、口腔内に蓄積した洗浄液を吐き出す必要があり、操作時の不便さがあった。加えて、洗浄剤が水だけでは歯間洗浄後の歯および歯肉部の殺菌作用等が不十分のため、殺菌剤等の生理活性物質を含有した洗浄液を使用することが考えられるが、洗浄剤が水のみの場合よりも粘度が高まることで歯間部の隙間に適切に噴射することが難しいといった課題があった。
【先行技術文献】
【特許文献】
【０００４】
【特許文献１】特表２０１６−５０９９３３号公報
【発明の概要】
【発明が解決しようとする課題】
【０００５】
本発明者らは、う蝕や歯肉炎を効果的に予防する方法として、既に形成されてしまった歯垢を除去するような従来の手段ではなく、歯間部にバイオフィルムが蓄積して歯垢が形成される前に、殺菌剤等の生理活性物質が含まれた内容物を予め歯間部へ付着・滞留させることが効果的であると考えた。さらに、使用感、操作性、使用量の点から、内容物を歯間部へ効率的に付着・滞留させる手段を見出した。
【０００６】
本発明は、以上のような点を考慮してなされたもので、１回の噴射量が少なく、生理活性物質を含んだ内容物を効果的に歯間部へ付着・滞留させることができる内容物噴射装置を提供することを目的とする。
【課題を解決するための手段】
【０００７】
本発明の第１の態様に従えば、軸直方向に延び内容物を収容する本体容器と、前記内容物を噴射する噴射部を有し前記本体容器に取り付けられた噴射容器とを備え、前記噴射容器は、前記本体容器の一端側に連結された連結部と、先端側に前記噴射部が配置され前記連結部から前記軸直方向に立設された挿入部とを有し、前記内容物は、前記噴射部から噴射された際の２５℃における粘度が３〜２５Ｐａ・ｓである液体口腔用組成物であり、前記噴射部から噴射される前記内容物の噴射流量は、０．０５〜４．０ｇ／ｓ／ｍｍ２であり、前記噴射部から一回に噴射される前記内容物の総量は、０．０１〜２０ｇであることを特徴とする内容物噴射装置が提供される。
【０００８】
また、上記本発明の一態様に係る内容物噴射装置において、前記内容物が噴射される前記噴射部の内口径の直径は、０．３〜０．５ｍｍであることを特徴とする。
【０００９】
また、上記本発明の一態様に係る内容物噴射装置において、前記挿入部は、第１軸線に沿って延び、前記噴射部は、第２軸線に沿って前記内容物を噴射し、前記第１軸線と前記第２軸線とは、交差角度が９０°から１０５°で同一平面において交差していることを特徴とする。
【００１０】
また、上記本発明の一態様に係る内容物噴射装置において、前記挿入部は、前記軸直方向と直交する軸線周りに揺動可能な揺動部の上面に連結され、前記連結部に上下動自在に取り付けられ下方へ移動させる操作時に前記揺動部を前記軸線周り方向の一方側に揺動させて前記内容物を前記噴射部から噴射させ、前記下方へ移動させる操作が解除された非操作時に前記揺動部を前記軸線周り方向の他方側に揺動させて前記噴射部からの前記内容物の噴射を停止させる操作部を有し、前記操作部による操作時に前記挿入部は、前記軸直方向と平行であり、前記操作部による非操作時に前記挿入部は、前記軸直方向に対して前記内容物の噴射側に１°〜１０°の角度で傾斜することを特徴とする。
【００１１】
また、上記本発明の一態様に係る内容物噴射装置において、前記内容物は、液体口腔用組成物の生理活性物質を含むことを特徴とする。
【発明の効果】
【００１２】
本発明では、１回の噴射量が少なく、生理活性物質を含んだ内容物を効果的に歯間部へ付着・滞留させることができる内容物噴射装置を提供できる。
【図面の簡単な説明】
【００１３】
【図１】本発明の実施の形態を示す図であって、内容物噴射装置１の正面図である。
【図２】本体容器１０と噴射容器３０との取付部を部分的に拡大した断面図である。
【図３】挿入部４１における噴射部４３近傍の拡大図である。
【図４】挿入部および噴射部の変形例を示す図である。
【発明を実施するための形態】
【００１４】
以下、本発明の内容物噴射装置の実施の形態を、図１ないし図４を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１５】
図１は、内容物噴射装置１の正面図である。
内容物噴射装置１は、本体容器１０と噴射容器３０とを備えている。
本体容器１０は、原液及び噴射剤を含む内容物が圧入された、いわゆるエアゾール型容器であり、一端部（下端部）が閉じられ、他端部（上端部）に内容物を吐出する中空ピン状の吐出部１１（図２参照）が設けられた、図１における上下方向を軸直方向とする円筒状に形成されている。吐出部１１は、上下動による弁の開閉に応じて本体容器１０の内部の内容物を吐出または吐出停止する。
【００１６】
［内容物］
内容物としては、液体が好ましく、特に液体の口腔内洗浄組成物（液体口腔用組成物）が好ましい。本体容器１０がエアゾール型容器の場合、内容物としては、生理活性物質を含む原液と、噴射剤を含む組成物である。
【００１７】
［原液］
原液とは、口腔内洗浄組成物中に含まれる噴射剤以外の全成分を意味する。生理活性物質としては、殺菌剤（イソプロピルメチルフェノール、塩化セチルピリジニウム、塩化ベンザルコニウム、塩化ベンゼトニウム等）、酵素（デキストラナーゼ等）、抗炎症剤（イプシロンアミノカプロン酸等）、収斂財、歯石予防剤、知覚過敏抑制剤、歯質強化剤、ステイン除去剤等が挙げられる。原液には、溶媒として水が含まれていることが好ましい。水としては、精製水が好ましい。溶媒としては、エタノール等を用いてもよい。上記原液の成分については薬剤学的に許容できる範囲で適宜設定することができる。
【００１８】
原液には、必要に応じて任意成分が含まれていてもよい。任意成分としては、下記の口腔内洗浄用の組成物に通常使用される界面活性剤（アニオン、ノニオン、両性）、甘味剤、防腐剤、ビタミン類、香料等を使用できる。任意成分は、１種を単独で使用してもよく、２種以上を組み合わせて使用してもよい。
【００１９】
原液の調製方法としては、特に限定されず、例えば、精製水等の溶媒に生理活性物質と、必要に応じて使用する任意成分を加えて撹拌することで原液を調製できる。
【００２０】
［噴射剤］
噴射剤は、原液を噴射させるための成分であり、原液とともに圧縮ガス又は液化ガスとして本体容器１０内に充填される。なお、圧縮ガスとは、常用の温度において、液化しない程度に圧縮され、圧力が大気圧以上のガスを意味する。液化ガスとは、現に液体であって、大気圧下における沸点が４０℃以下のもの、又は、大気圧下における沸点が４０℃を超える液体が、その沸点以上にあるガスを意味する。
【００２１】
噴射剤は、窒素及び亜酸化窒素のいずれか一方もしくは両方の成分を含む。すなわち、噴射剤は、窒素及び亜酸化窒素のいずれか一方のみを含んでいてもよく、窒素及び亜酸化窒素の両方を含んでいてもよい。
【００２２】
本発明の口腔内洗浄組成物に関して、容器内における原液と噴射剤の体積比（原液／噴射剤）は、８０／２０〜４０／６０が好ましく、７０／３０〜５０／５０がより好ましい。噴射剤は、量が多いほど、噴射性に優れる。本体容器１０内に原液とともに噴射剤が充填されている状態の本体容器１０内の圧力は０．２〜１．０ＭＰａが好ましい。
【００２３】
［ｐＨ］
本実施形態における口腔内洗浄組成物の２５℃でのｐＨは５．５〜８．０が好ましい。
【００２４】
図２（ａ）、（ｂ）は、本体容器１０と噴射容器３０との取付部を部分的に拡大した断面図である。
図２（ａ）、（ｂ）に示すように、噴射容器３０は、連結部３１、噴射ボタン（操作部）３３および挿入部４１を有している。連結部３１は、円筒部１２の上部を覆うように設置されており、下側に開口する開口部３２において本体容器１０の上端側の円筒部１２に嵌合することで互いに連結されている。
【００２５】
噴射ボタン３３は、連結部３１に上下動自在に取り付けられている。噴射ボタン３３は、下方に移動したときに、挿入部４１を介して弁を開放し吐出部１１から所定量（詳細は後述）の内容部を吐出させる。噴射ボタン３３は、下方への操作が解除されたときに弁の閉塞（および内容物の吐出停止）に伴う付勢力で上方に移動する。
【００２６】
挿入部４１は、先端部に設けられた噴射部４３と、下端部に設けられた軸部４４とを有している。軸部４４は、図２中、紙面と直交する方向（以下、直交方向と称する）に突出して設けられている。軸部４４は、直交方向に延びる軸線周りに連結部３１に対して移動可能に支持されている。連結部３１には、凹部３４が形成されている。凹部３４には、本体容器１０の吐出部１１に下方から接続された揺動部４２が配置されている。揺動部４２の上面には、挿入部４１が連結されている。また、揺動部４２は、噴射ボタン３３に上方から係合されており、噴射ボタン３３の下方への移動により押圧部３３ａと当接部４２ａが当接して、揺動部４２が押圧されることで凹部３４の内部で軸部４４を中心として反時計回り方向に揺動し挿入部４１は軸線Ｊに沿った角度となる。一方、上述したように、噴射ボタン３３の下方への操作が解除され押圧部４７による押圧から解放されたときに、挿入部４１は、弁の閉塞（および内容物の吐出停止）に伴う付勢力で凹部３４の内部で軸部４４を中心として時計回り方向に移動し、角度θ１の姿勢に戻る。
【００２７】
挿入部４１は、噴射ボタン３３が操作されずに、図２（ａ）に示すように、上側の位置にあるときに、軸直方向に延びる軸線Ｊに対して噴射部４３が配置された側に角度θ１で傾斜し、図２（ｂ）に示すように、噴射ボタン３３が操作されて下方に移動した際に軸線Ｊと略平行の位置となる。
【００２８】
噴射ボタン３３による非操作時（非噴射時）に挿入部４１が噴射側に傾斜していることにより、挿入部４１を奥歯に向けて挿入することが容易になる。
また、歯間に噴射部４３を押し当てて固定した後、噴射ボタン３３を操作して内容物を噴射する際に、挿入部４１が軸直方向と平行となることにより、歯間と歯肉に対する噴射部４３の圧力が緩和できとともに、視認が難しい奥歯における歯間の空隙に内容物を適切に噴射することが可能となる。非操作時に挿入部４１が傾斜している角度θ１としては、１°〜１０°であることが好ましく、５〜１０°が更に好ましい。角度θ１が上記範囲内にあることで、上記の効果が得られる。
【００２９】
噴射部４３は、挿入部４１の先端側に軸線Ｊを挟んで噴射ボタン３３とは逆側に配置されてもよく、同じ側に配置されてもよい。操作性から逆側に配置されていることが好ましい。図３は、挿入部４１における噴射部４３近傍の拡大図である。挿入部４１は、先端部における噴射方向に向けて直径Ｄ１の柱状の基部４６を有している。噴射部４３は、基部４６に直径Ｄ１よりも小さい直径で形成されている。
【００３０】
具体的には、噴射部４３は、内口径ｄ１の噴射口が形成された外径ｄ２の先端部と、外径ｄ３の元部とを有している。元部と先端部とは、先端部に向かうに従って漸次直径が小さくなる外周面で接続されている。当該外周面の断面輪郭は、径方向内側に中心を有する円弧形状である。噴射部４３の内口径の直径ｄ１としては、０．３〜０．５ｍｍが好ましく、０．３〜０．４ｍｍが更に好ましい。歯間の空隙幅は一般的に０．７〜１．０ｍｍであるため、直径ｄ１が上記の範囲内にあることで、歯間幅よりも狭いため、噴射後に広がる内容物の歯面での跳ね返り量が少なくなる。噴射部４３の先端部外径ｄ２としては、０．８〜２．４ｍｍが好ましい。外径ｄ３としては、１．６〜６．０ｍｍが好ましい。
【００３１】
挿入部４１は、揺動部４２から噴射部４３に至る流路４５を有している。噴射ボタン３３の操作により吐出部１１から吐出された内容物は、流路４５を介して噴射部４３から噴射軸線（第２軸線）Ｊｉに沿って噴射軸線Ｊｉに対する噴射角度θ２で噴射される。
【００３２】
挿入部４１は、口腔内に挿入される部分となる連結部３１の基端部から基部４６の上端部まで長さＬ１で突出している。挿入部４１の基部４６は、基部４６の噴射部４３側から連結部３１側へ形成する曲線の終点までの長さＬ２で形成されている。噴射部４３は、基部４６の基端部から噴射部先端部までの長さＬ３で形成されている。基部４６および噴射部４３は、噴射軸線Ｊｉに沿って全長Ｌ４で形成されている。
【００３３】
挿入部４１の連結部３１からの長さＬ１としては５０〜８０ｍｍが好ましい。挿入部４１の外径としては、５〜７ｍｍが好ましい。基部４６の噴射軸線Ｊｉにおける長さＬ２としては６〜９ｍｍが好ましい。噴射部４３の基部４６からの長さＬ３としては３．０〜６．０ｍｍが好ましい。
【００３４】
挿入部４１の軸線（第１軸線）４１Ｊと噴射軸線Ｊｉとは、同一平面において交差しており、交差する角度θ３としては、口腔内の奥側に位置する歯間に内容物を噴射する際の操作性から、９０〜１０５°が好ましく、９５°〜１０５°が更に好ましい。
【００３５】
噴射部４３が内容物を噴射する、噴射軸線Ｊｉに対する噴射角度θ２としては、１°〜１０°が好ましく、５°〜８°が特に好ましい。噴射角度θ２が上記の範囲内にあることで、噴射後に広がる内容物の歯面での跳ね返り量が少なくなる。
【００３６】
また、噴射部４３から噴射される内容物の単位時間、単位面積あたりの噴射流量としては、０．０５〜４．０ｇ／ｓ／ｍｍ２（＝ｇ／（ｓ・ｍｍ２））が好ましく、０．０５〜１．４ｇ／ｓ／ｍｍ２が特に好ましい。
上記の範囲内にあることで、歯間部へ内容物を噴射した際に、内容物が歯間部を通過したことによる使用実感が得られる。
また、一回の噴射ボタン３３の操作により噴射部４３から噴射される内容物の総量としては、０．０１〜２０ｇであることが好ましい。上記範囲内にあることで、噴射物の誤飲を軽減できる。
【００３７】
２５℃において、噴射部４３の噴射口先端部と質量計の距離を２ｃｍ離して、噴射部から噴射される内容物が質量計に対して垂直方向に噴射されて、質量計の中心に当たるように１．０秒間噴射されたときに計測される圧力としては、０．１〜０．４ｇｆであることが好ましい。上記範囲内にあることで、歯間部へ噴射時の歯肉への為害性を軽減できる。
【００３８】
噴射部４３から噴射される内容物の粘度としては、３〜２５Ｐａ・ｓであることが好ましく、３〜１５Ｐａ・ｓであることが更に好ましい。上記範囲内にあることで、粘度のある内容物を噴射でき、歯間部へ付着・滞留できる。
つまり、本発明は、粘度が３〜２５Ｐａ・ｓの内容物を、単位時間・単位面積あたりの噴射流量０．０５〜１.４ｇ／ｓ／ｍｍ２とし、１回に噴射される内容物の総量０．０１〜２０ｇとすることで、少ない噴射量で内容物が狭い歯間部に付着・滞留効果とともに、優れた使用実感を得ることが出来る。
【００３９】
従来では、殺菌剤等の歯間部への付着・滞留効果を目的に、粘度のある口腔用組成物を口に含んで漱ぐだけでは、幅が狭い歯間空隙に通過させるには不十分であったが、上記の内容物噴射装置１においては、１回の噴射量が少なく、かつ、水よりも粘度が高い内容物で低い噴射圧であっても、噴射力により狭い歯間空隙に対しても粘度のある薬剤を通過させることが可能になり、殺菌剤等の歯間部への優れた付着・滞留効果を発現することができる。また、上記の内容物噴射装置１においては、非噴射時に挿入部４１が噴射側に傾斜し、噴射時に挿入部４１が軸直方向と平行となるため、挿入部４１を奥歯に向けて容易に挿入することが可能になるとともに、視認が難しい奥歯における歯間の空隙に内容物を適切に噴射することが可能となる。
【００４０】
［実施例］
以下、実施例を示して本発明を詳細に説明するが、本発明は以下の実施例に限定されるものではなく、その要旨を逸脱しない範囲で適宜変更して実施することができる。
【００４１】
（実施例１〜４、比較例）
下記の［表１］に示す仕様に従って、実施例１〜４および比較例の内容物噴射装置を製作した。なお、図１に示す形態で評価した（Ｄ１：６ｍｍΦ、ｄ３：４ｍｍΦ、ｄ２：１．６７ｍｍΦ、ｄ１：０．３５ｍｍΦ、Ｌ１：６３．６ｍｍ、Ｌ２：７．８ｍｍ、Ｌ３：４．６ｍｍ、θ１：５°、θ３：１００°）実施例１〜４の内容物噴射装置は、それぞれ組成１〜４の原液を有する。比較例の内容物噴射装置は、組成５の原液を有する。組成１〜組成５の原液の仕様は、下記の［表２］に示されている。
また、噴射部４３の単位時間、単位面積あたりの噴射流量ｇ／ｓ／ｍｍ２は、単位時間あたりの噴射流量（g/s)と、噴射部４３の内口径の直径ｄ１（０．３５ｍｍ）とに基づいて求めた。
【００４２】
【表１】
2018187048.tif 000003
【００４３】
（原液の調製方法）
原液の調製は、［表２］中の組成に応じ、精製水中に原料を順次加えて攪拌し、均一溶解させた。なお、製造にはスリーワンモーター（BL1200, HEIDON社製）を用いた。
【００４４】
【表２】
2018187048.tif 000004
【００４５】
（噴射圧の測定）
２５℃において、噴射部４３の噴射口先端部と質量計の距離を２ｃｍ離して、噴射部から噴射される内容物が質量計に対して垂直方向に噴射されて、質量計の中心に当たるように１．０秒間噴射した。その時の最大指示値を計測し、１０回繰り返して平均値を算出した。
【００４６】
（１．０秒間当たりの噴射量の測定）
まず、２５℃において、本体容器の質量を測定する。その後、噴射部から噴射される内容物全量が前記本体容器底部に当たるように１．０秒間噴射する。そして、再度本体容器の質量を測定し、１０回繰り返す。噴射前後の本体容器の質量の増量値を計測し、平均値（ｇ／ｓ）として算出した。
【００４７】
（単位時間・単位面積当たりの噴射流量の測定）
「内口径の直径ｄ１の開口部の面積（ｍｍ２）」に対する前述の前記「１．０秒間当たりの噴射量（ｇ／ｓ）」から算出した。
【００４８】
（粘度の測定）
Ｂ型粘度計（ローターＮｏ．３、３０ｒｐｍ、２５℃、１分後の測定値）で測定した。
【００４９】
（噴射角）
２５℃において対象物から１５０ｍｍ離れた距離からの本実施形態の噴射部４３先端の噴射口を原点とした時の噴射角θ２を測定した。
【００５０】
（評価方法）
［表１］に示す使用感の評価は、本発明品の噴射部の先端部を奥歯と前歯の歯間部へ固定して噴射した時の使用感（水流が歯間を通った感じ、歯間がきれいになった感じ）を評価した。
○：顕著に実感あり
△：わずかに実感あり
×：実感なし
【００５１】
［表３］に示す操作性の評価は、挿入部が軸直方向の位置と噴射方向側に傾斜した位置との間を変位可能な場合（表３の左側）と、挿入部が軸直方向の位置と噴射方向と逆方向に傾斜した位置との間を変位可能な場合（表３の右側）とのそれぞれについて、挿入部の長さＬ１が６５．６ｍｍ、７０．６ｍｍ、７５．６ｍｍの場合について、本発明品の噴射部の先端部を奥歯の歯間部へ固定して噴射した時の操作性を評価した。なお、［表３］においては、実施例１の形態・組成でＬ１、θ１を変えて評価した。
○：顕著に実感あり
△：わずかに実感あり
×：実感なし
【００５２】
【表３】
2018187048.tif 000005
【００５３】
［表１］に示されるように、原液の粘度が２５Ｐａ・ｓよりも大きい場合には、歯間を水流が通った感じ、および歯の歯間がきれいになった感じの双方で十分な使用感を得ることができなかった。一方、原液の粘度が３〜２５Ｐａ・ｓであれば、歯間を水流が通った感じ、および歯の歯間がきれいになった感じの双方で顕著な使用感が得られることが確認できた。
【００５４】
［表３］に示されるように、挿入部が軸直方向の位置と噴射方向と逆方向に傾斜した位置との間を変位可能な場合については、３種類の長さＬ１の全てで奥歯の歯間への届きやすさ、および内容物の噴射しやすさのいずれも十分な操作性を得ることができなかった。また、挿入部が軸直方向の位置と噴射方向側に傾斜した位置との間を変位可能な場合でも、長さＬ１が７５．６ｍｍでは奥歯の歯間への届きやすさ、および内容物の噴射しやすさのいずれも十分な操作性を得ることができなかった。
【００５５】
これに対して、挿入部が軸直方向の位置と噴射方向側に傾斜した位置との間を変位可能な場合で、長さＬ１が６５．６ｍｍ、７０．６ｍｍであれば、十分な操作性が得られることを確認できた。
【００５６】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００５７】
例えば、上記実施形態では、挿入部４１と略同一径の基部４６に噴射部４３が設けられる構成を例示したが、この構成に限定されるものではなく、例えば、図４に示すように、挿入部４１よりも外径が大きい基部４６とし、この基部４６に噴射部４３を設ける構成としてもよい。
【００５８】
また、上記実施形態では、本体容器１０がエアゾール型容器である構成を例示したが、この構成に限定されるものはなく、例えば、スクイズ型容器やポンプスプレーであってもよい。前記の構成を採る場合には、内容物には噴射剤が含まれない点を除いて上記エアゾール型容器の構成を採る場合と同様の内容物を使用すればよい。
【符号の説明】
【００５９】
１…内容物噴射装置、  １０…本体容器、  １１…吐出部、  ３０…噴射容器、  ３１…連結部、  ３３…噴射ボタン（操作部）、  ４１…挿入部、  Ｊ…軸線（第１軸線）、  ４３…噴射ノズル（噴射部）、  Ｊｉ…噴射軸線（第２軸線）
【図１】
2018187048.tif 000006
【図２】
2018187048.tif 000007
【図３】
2018187048.tif 000008
【図４】
2018187048.tif 000009